(57)【要約】【課題】手動による防護管の挿入を遠隔位置から確実かつ容易に行うことができる防護管挿入器を提供する。【解決手段】防護管挿入器１は上側掴線部１０と下側掴線部１２との間に電線（一点鎖線２０に沿って配置）を挟んで電線に固定される。下側掴線部１２の下端に略三角形状のガイドプレート２が配置されている。ガイドプレート２の下端縁２ａは防護管の進行方向前進側が電線に近くなるように傾斜している。下端縁２ａに沿ってガイドロッド４が配置されている。ガイドロッド４の下方には、外部駆動により回転する昇降可能な送りローラー６が配置され、この送りローラー６を挟んで前進側及び後退側に回転自在に取り付けられた補助ローラーを有する補助ローラーユニット８が設けられている。補助ローラーは前進側へ傾動可能であり、後退側へ付勢されている。また、ガイドプレート２の側面には、ガイドロッド４に沿ってボールベアリング２ｂが埋め込まれている。【選択図】図１
2016046947.tif 000002
【特許請求の範囲】
【請求項１】
長手方向にスリットが形成された防護管を電線に挿入する防護管挿入器であって、
前記防護管の挿入方向の前進側が前記電線に近くなるように下端縁が傾斜して形成され、前記スリットに割り込んで前記防護管をガイドするガイドプレートと、
前記ガイドプレートの下端縁に沿って設けられ、前記防護管を内側からガイドするガイドロッドと、
前記ガイドロッドの下方に配置され、前記ガイドロッドに対して離接可能に設けられ、外部からの駆動力で前記防護管を送る送りローラーと、
前記送りローラーに対して前記前進側及び後退側の少なくとも一方側に設けられると共に、揺動端に回転自在な補助ローラーを有し、且つ、前記後退側への付勢に抗して前記前進側へ揺動可能な揺動アームが前記ガイドプレートの含まれる仮想平面に対して面対称となる位置に対をなした補助ローラー部と、を備え、
前記補助ローラー部は、前記揺動端側が前記ガイドロッドに近くなるように揺動面が傾斜していることを特徴とする防護管挿入器。
【請求項２】
前記補助ローラー部は、前記送りローラーに対して、前記前進側及び前記後退側の両側に設けられていることを特徴とする請求項１に記載の防護管挿入器。
【請求項３】
前記ガイドプレートには、前記ガイドロッドに沿った所定の範囲に複数のボールベアリングが設けられていることを特徴とする請求項１又は２に記載の防護管挿入器。
【請求項４】
前記ボールベアリングは、前記ガイドプレートと前記ガイドロッドとの境界線上に一列に並ぶベアリング列を含んでいることを特徴とする請求項３に記載の防護管挿入器。
【発明の詳細な説明】
【技術分野】
【０００１】
本発明は、電柱等に架設された電線の外周を被覆する防護管の挿入又は抜き取りを行うための防護管挿入器に関するものである。
【背景技術】
【０００２】
電柱上に架設された電線の近傍において作業を行う場合、作業者又は作業機器が電線に触れることを防止するために、また、樹木等に近接する電線を保護するために、電線の外周は絶縁材からなる防護管によって覆われている。
【０００３】
図６は連結された防護管１０１の斜視図である。
【０００４】
この図に示した防護管１０１を構成する本体部１０２と、この本体部１０２の一端側に形成された雌型嵌合部１０３及び他端側に形成された雄型嵌合部１０４は、弾性と可撓性とを有する絶縁材料を用いて形成されている。これらは、仮想線で示したように、電線１００を内側に収容できる内径を有すると共に、本体部１０２の上方には、長手方向へ一直線にスリット状の開口部１０７が形成されている。このような材質・形状により、開口部１０７を開いて内部に電線１００を収容し、防護管１０１の有する弾性に基づく復元力に任せて閉じさせることで、電線１００を覆うことができる。開口部１０７を形成する対向した両端縁部からは、それぞれ、円筒の拡径側へ平行に延びる一対の背ビレ部１０９が形成されている。
【０００５】
また、この図６に示すように、防護管１０１の長手方向の一端には、雄型嵌合部１０４が形成され、他端には、この雄型嵌合部１０４を有した他の防護管１０１と接続可能な雌型嵌合部１０３が形成されている。これら連結される防護管１０１はそれぞれ所定長さに設定されており、互いの雌雄型嵌合部１０３、１０４にて複数本が継ぎ足され、長い電線１００を覆うことができる。
【０００６】
ここで、雄型嵌合部１０４は、本体部１０２よりも外径が大きくなっている。そして、雌型嵌合部１０３には、嵌合時に雄型嵌合部１０４を収容でき、内部で結合させることができる収容部１０６が形成されている。従って、雌型嵌合部１０３の収容部１０６は、雄型嵌合部１０４よりもさらに外径が大きくなっている。
【０００７】
一般に、上記のような防護管１０１を電線１００へ取り付ける際には、先ず１本目の防護管１０１を電線１００に挿入した後、続いて２本目の防護管１０１の先端を電線１００に挿入し、電線１００に挿入された状態で、これら２本の防護管１０１を互いの雌雄型嵌合部１０３、１０４にて接続する。そして、このような動作を繰り返すことにより、電線１００に複数本の防護管１０１が挿入される。
【０００８】
次に、上記のような防護管１０１を電線１００に挿入する装置について説明する。
【０００９】
図７は、従来の管挿入器１１０の正面図である。この管挿入器１１０は、上端の電線押えアングル１１１とガイド本体１１２とによって挟むようにして電線１００に固定されている。ガイド本体１１２から延びる案内棒１１３に沿って通された防護管１０１は、ガイド本体１１２と駆動タイヤ１１６との間を通過する。そして、さらに進んだ防護管１０１は、拡管用板１１５によって開口部１０７（図６参照）が拡張されて電線１００へ導かれる。
【００１０】
ここで、ガイド本体１１２には、側面及び下端側に、防護管１０１との摩擦を低減するためにコロ１２７が設けられている。これにより、摺接抵抗を低減し、駆動タイヤ１１６から加えられる力をロスすることなく、スムースに防護管１０１を電線１００に挿入することができる。以上のような管挿入器１１０については、特許文献１に記載がある。
【先行技術文献】
【特許文献】
【００１１】
【特許文献１】特開平８−１８２１３５号公報
【発明の概要】
【発明が解決しようとする課題】
【００１２】
上述のような構成の駆動タイヤ１１６は、一般に、防護管１０１との間の摩擦力が十分に得られなければ、連結された防護管１０１の重量に負けて空転し、スムースに送り続けることができない。このため、比較的大きな圧力が働くように、駆動タイヤ１１６がガイド本体１１２の下端に押し付けられている。
【００１３】
ところで、防護管１０１は、上述のように、雌雄型嵌合部１０３、１０４の部分で外形が極端に大きくなっている。このため、先頭の防護管１０１の雌型嵌合部１０３をそのまま通過させることは困難である。したがって、先頭の防護管１０１を通過させるために、駆動タイヤ１１６をガイド本体１１２から退避させる機構を備えているものが多い。この場合、先頭の防護管１０１のみ、手動で設置される。
【００１４】
しかしながら、駆動タイヤ１１６をガイド本体１１２から離間させると、ガイド本体１１２と防護管１０１との位置関係が一定に定まらない。このため、他の構成に先端が突き当たって先に進めないような状態も生じ得る。そして、このような状況に陥ると、作業者が管挿入器１１０のところまで上がり、引っ掛かりの原因を解消する必要がある。このように、従来から、手動による先頭の防護管１０１のスムースな設置に課題があった。
【００１５】
そこで、本発明は、手動による防護管の挿入を遠隔位置から確実かつ容易に行うことができる防護管挿入器を提供することを目的とする。
【課題を解決するための手段】
【００１６】
上記目的を達成するために、本発明の防護管挿入器は、長手方向にスリットが形成された防護管を電線に挿入する防護管挿入器であって、前記防護管の挿入方向の前進側が前記電線に近くなるように下端縁が傾斜して形成され、前記スリットに割り込んで前記防護管をガイドするガイドプレートと、前記ガイドプレートの下端縁に沿って設けられ、前記防護管を内側からガイドするガイドロッドと、前記ガイドロッドの下方に配置され、前記ガイドロッドに対して離接可能に設けられ、外部からの駆動力で前記防護管を送る送りローラーと、前記送りローラーに対して前記前進側及び後退側の少なくとも一方側に設けられると共に、揺動端に回転自在な補助ローラーを有し、且つ、前記後退側への付勢に抗して前記前進側へ揺動可能な揺動アームが前記ガイドプレートの含まれる仮想平面に対して面対称となる位置に対をなした補助ローラー部と、を備え、前記補助ローラー部は、前記揺動端側が前記ガイドロッドに近くなるように揺動面が傾斜していることを特徴とする。
【００１７】
また、本発明の防護管挿入器は、上記構成に加えて、前記補助ローラー部は、前記送りローラーに対して、前記前進側及び前記後退側の両側に設けられていることを特徴とする。
【００１８】
また、本発明の防護管挿入器は、上記構成に加えて、前記ガイドプレートには、前記ガイドロッドに沿った所定の範囲に複数のボールベアリングが設けられていることを特徴と
する。
【００１９】
また、本発明の防護管挿入器は、上記構成に加えて、前記ボールベアリングは、前記ガイドプレートと前記ガイドロッドとの境界線上に一列に並ぶベアリング列を含んでいることを特徴とする。
【発明の効果】
【００２０】
本発明は上記のような構成を有するので、送りローラーがガイドロッドから離間した状態であっても、補助ローラー部が備えられているので、初期設定において、先頭の防護管を手動で送り込む際、防護管のスリットにガイドプレートが割り込んだ状態が良好に保持される。
【００２１】
また、防護管を送り込む際に、補助ローラーに先端が突き当たった場合であっても、補助ローラーは前進側へ揺動可能に設けられているので、防護管に対して退避することができ、スムースに防護管を電線側へ送り込むことが可能となる。
【００２２】
さらに、補助ローラーは後退側へ付勢されているので、前進側への揺動を伴って防護管の先端が通過した場合であっても、付勢により元の位置に復元することができる。すなわち、防護管がガイドプレート側へ持ち上げられるので、ガイドの状態が良好に保持される。
【００２３】
加えて、補助ローラーの揺動面は、揺動端側がガイドロッドに近付くように傾斜しているので、対をなしている補助ローラーは、ガイドロッドから離れるように揺動（回動）すると、互いの揺動端の間隔は拡がる。これにより、対をなす補助ローラーが防護管に対して摺接する位置が直径方向に離れるので、防護管との摺接抵抗が減少するように変化し、防護管の受入が容易になる。
【００２４】
また、本発明によれば、上記効果に加えて、ガイドロッドに対して略平行に防護管を持ち上げた状態を保持できるので、ガイドプレートに対する摺接抵抗が低減された状態を良好に保持することが可能となる。
【００２５】
また、本発明によれば、上記効果に加えて、ガイドロッドが防護管の内部に挿入された状態が保持されていると、ガイドプレートの側面に設けられた複数のボールベアリングと防護管のスリット内側とが摺接するので、補助ローラーにより持ち上げられた状態の防護管とガイドプレートとの間の摺接抵抗をさらに低減することが可能となる。
【００２６】
また、本発明によれば、上記効果に加えて、補助ローラーが揺動して防護管の位置が下がった場合であっても、ガイドプレートとガイドロッドとの境界に引っ掛かったスリットの内側とベアリング列とが摺接する。これにより、補助ローラーの揺動位置に関わらず、防護管とガイドプレートとの間の摺接抵抗を良好に低減することが可能となる。
【図面の簡単な説明】
【００２７】
【図１】本発明の実施の形態に係る防護管挿入器の正面図である。
【図２】図１の防護管挿入器の補助ローラーユニットを示した斜視図である。
【図３】図１の防護管挿入器の補助ローラーの動きを示した平面図であり、（ａ）は無負荷の状態、（ｂ）は防護管により一対の補助ローラーが押し広げられた状態が示す図である。
【図４】図１の防護管挿入器の補助ローラーの動きを示した側面図であり、（ａ）は無負荷の状態、（ｂ）は防護管により一対の補助ローラーが押し広げられた状態を示す図である。
【図５】図１の防護管挿入器の使用状態を示す図である。
【図６】従来の防護管を示した図である。
【図７】従来の管挿入器を示した図である。
【発明を実施するための形態】
【００２８】
以下、本発明の実施の形態に係る防護管挿入器について図を用いて説明する。
【００２９】
図１は、本実施の形態に係る防護管挿入器１の正面図を示している。なお、図１において、電線の延びる方向を一点鎖線２０で示し、防護管の挿入される方向を一点鎖線２１で示している。また、以下の説明では、防護管については図６を適宜参照するものとし、符号も図６の電線１００、防護管１０１と同一のものを用いて示すものとする。
【００３０】
図１に示すように、防護管挿入器１は、アングル材等で形成された上側掴線部１０と下側掴線部１２との間に電線１００を挟むようにして電線１００に対して固定される。下側掴線部１２は略三角形状に形成されたガイドプレート２の上端に設けられている。また、上側掴線部１０は、ガイドプレート２に対して昇降可能（矢印２２）に設けられている。図１では、防護管１０１は右側から送り込まれ、左側が前進側となっている。
【００３１】
ガイドプレート２の下端縁２ａは、防護管１０１の挿入方向（一点鎖線２１の方向）の前進側が電線１００に近くなるように傾斜して形成されている。この傾斜した下端縁２ａに沿ってガイドロッド４が設けられている。防護管１０１は、このガイドロッド４によって内部からガイドされると共に、開口部１０７（スリット）の内側に割り込んだガイドプレート２によって上方部分をガイドされる。ガイドプレート２の側面には、両面側に複数のボールベアリング２ｂが設けられている。これらボールベアリング２ｂは、ガイドロッド４との境界から上方の所定の範囲に分布している。本実施の形態では、この所定の範囲は、防護管１０１の背ビレ部１０９の内側が摺接する可能性のある範囲として設定されている。したがって、後述する送りローラー６によって防護管１０１が持ち上げられた状態において背ビレ部１０９が届く範囲までを含む。
【００３２】
図１に示すように、本実施の形態においては、ガイドロッド４とガイドプレート２との境界上にもボールベアリング２ｂが配置され、二点鎖線で囲んだベアリング列２ｃを形成している。これにより、ガイドロッド４の上端に開口部１０７の内側が接する位置まで防護管１０１が降下した状態においても、防護管１０１の摺接抵抗が良好に低減される。なお、ボールベアリング２ｂについて、二重円で示したものと単円で示したものが混在しているが、二重円のものが紙面手前側にボールが突出し、単円のものが紙面裏側に向かって突出するように配置されているものとする。このように、ガイドプレート２の両面において、防護管１０１の摺接抵抗を低減することが可能である。
【００３３】
ガイドロッド４の下方には、本体フレーム１４のやや前進側寄りの位置に送りローラー６が配置されている。この送りローラー６は、矢印２３に示すように略鉛直方向に昇降可能に設けられている。これにより、稼働時においては、防護管１０１の下端をガイドロッド４との間に挟み込む位置まで上昇し、初期設定時には、手動で送られる防護管１０１と干渉しない位置にまで降下することが可能である。ここでは図示しないが、送りローラー６は、外部から入力される駆動力により回転する。
【００３４】
本体フレーム１４の前進側及び後退側の端部には、それぞれ補助ローラーユニット（補助ローラー部）８が配置されている。これらは、矢印２４、２５で示すように、前進側へ揺動可能に設けられている。
【００３５】
次に、補助ローラーユニット８の構造について図２を用いて説明する。
【００３６】
図２は、図１の本体フレーム１４の前進側及び後退側に設けられた補助ローラーユニット８の斜視図である。本実施の形態では、何れも同じ構造のものを採用しているので、一方のみについて説明する。
【００３７】
補助ローラーユニット８は、中空の三角柱状の補助ローラーフレーム８ｂを有している。この補助ローラーフレーム８ｂの内側には、底面と平行に取付フレーム８ｃが形成されている。この取付フレーム８ｃにおいて、補助ローラーユニット８は、図１の本体フレーム１４と接続される。
【００３８】
三角柱状の補助ローラーフレーム８ｂの２つの斜面には、それぞれの斜面と平行な揺動面内で揺動できるように揺動アーム８ｆが軸支され、この揺動アーム８ｆの揺動端に補助ローラー８ａが設けられている。また、それぞれの揺動アーム８ｆは、コイルばね８ｄにより後端側へ付勢されている。このように、揺動アーム８ｆは揺動軸８ｅの周りに前進側へ揺動可能であり、後端側へ付勢された状態となっている。
【００３９】
図２において、実線で示した補助ローラー８ａは外部から力が働いていない状態を示し、点線で示した補助ローラー８ａは、防護管１０１により後端側から力が働いたときの状態を示している。
【００４０】
以上のような補助ローラーユニット８は、補助ローラーフレーム８ｂの頂点がガイドプレート２の含まれる仮想面内に含まれるように配置されている。したがって、ガイドプレート２に対して２つの補助ローラー８ａの位置関係は面対称となっている。また、２つの揺動アーム８ｆは、それぞれ独立の揺動軸８ｅを有している。このため、揺動面は、それぞれ揺動軸８ｅに直交する平面となる。
【００４１】
次に、上記のように、独立した揺動軸８ｅを有する補助ローラーユニット８に特有の動作について、図３及び４を用いて説明する。
【００４２】
図３は、図２の補助ローラーユニット８の平面図を示しており、（ａ）は図２において実線で示したときの状態を、また、（ｂ）は図２において点線で示したときの状態を示している。この図３において、防護管１０１の外形が一点鎖線で示されている。
【００４３】
図３（ａ）における一対の補助ローラー８ａの揺動端同士は、間隔Ｄ１の距離を保っている。これに対して、図３（ｂ）における一対の補助ローラー８ａの揺動端同士は、間隔Ｄ２に拡がっている。すなわち、上述のように、一対の補助ローラー８ａのそれぞれの揺動面は、防護管１０１の進行方向から見てハの字形に傾斜しているので、ガイドロッド４側に向かって配置された図３（ａ）の状態が最も接近し、前進側へ揺動アーム８ｆが傾くほど、両者の間隔は拡がる傾向にある。
【００４４】
次に、このような構成を踏まえて、実際の作業について説明する。
【００４５】
初期設定の際に、送りローラー６がガイドロッド４から離間状態となるように配置され、防護管１０１の通り道を空けられた状態において、作業者が手操作によって防護管１０１を送り込む場合、送りローラー６による下支えがないため、防護管１０１の先端が補助ローラー８ａの後端側から突き当たる場合がある。このとき、補助ローラー８ａは前進側へ揺動可能に設けられているので、防護管１０１は、コイルばね８ｄによる後端側への付勢に抗して前進側へ押し進められる。これに伴って、対をなす補助ローラー８ａ同士の間隔は拡がる。これにより、付勢に基づき補助ローラー８ａから防護管１０１へ働く反力は、傾斜が大きくなるのに伴い低減される方向へ変化する。この作用について、図４を用いて説明する。
【００４６】
図４は、補助ローラーユニット８について、図３の状態を防護管１０１の進行方向前進側から見た図を示しており、（ａ）は図２における実線で示した状態を、また、（ｂ）は図２における点線で示した状態を示している。したがって、紙面手前側が進行方向前進側となる。
【００４７】
図４（ａ）では、補助ローラー８ａには殆ど外力が働いておらず、それぞれの回転面に防護管１０１の側面が当接した状態が示されている。この配置において防護管１０１が長手方向前進側に送られると、補助ローラー８ａが前進側へ傾動する際に、その反力を防護管１０１に伝える。この反力は、防護管１０１の側面に対して法線方向に働く。これら反力は図４（ａ）において、それぞれ力Ｆ１、Ｆ２で表わされている。そして、これら力Ｆ１、Ｆ２の合力が力Ｆ３で表わされる。
【００４８】
同様に図４（ｂ）の状態について説明する。なお、ここでは、揺動アーム８ｆに働く付勢は便宜的に一定であるとして説明する。図４（ｂ）では、補助ローラー８ａが後端側から防護管１０１によって前進側へ押し倒されている。これによって、図４（ａ）の場合と同様に、防護管１０１の側面の法線方向にそれぞれ力Ｆ４、Ｆ５が働く。したがって、これらの合力は力Ｆ６となる。
【００４９】
ここで、図４（ａ）の場合の補助ローラー８ａ同士の間隔Ｄ１よりも図４（ｂ）の間隔Ｄ２の方が広いので、力Ｆ３＞Ｆ６となる。すなわち、付勢が一定の場合、揺動アーム８ｆが大きく傾くほど、防護管１０１に作用する反力が小さくなる傾向があることが分かる。つまり、例えば、補助ローラーが１ローラーで構成されている場合には、傾きの大きさに応じて端に反発力が増大するだけの傾向があるのに対して、本発明の独立した２ローラーの構成（揺動軸８ｅが非平行）では、傾きの大きさに応じて反発力を低減する作用が重畳的に働くので、傾動し易くなる。
【００５０】
すなわち、本実施の構成では、後端側から防護管１０１が補助ローラー８ａに突き当たった場合であっても、補助ローラー８ａが容易に前進側へ退避できる。そして、雌雄型嵌合部１０３、１０４などの抵抗が大きい部分が通過した後は、付勢によって速やかに状態を復元できる。これにより、初期設定における防護管１０１の手動による挿入作業において、引っ掛かりによる作業中断を防止し、作業効率の向上を図ることが可能となる。
【００５１】
図５は、送りローラー６がガイドロッド４から離間した状態において、防護管１０１が手操作により送り込まれたときの状態を示している。この図５に示すように、防護管１０１は、送りローラー６の前進側及び後退側に配置された補助ローラーユニット８の補助ローラー８ａによって支えられ、ガイドロッド４と略平行に配置されている。このため、防護管１０１の背ビレ部１０９は、ボールベアリング２ｂに対して略全域で接することができるので、ガイドプレート２に対する摺接抵抗を効果的に低減することが可能である。
【００５２】
また、これらボールベアリング２ｂにより、防護管１０１がガイドプレート２に沿って上方へ移動する場合の抵抗をも低減することが可能である。すなわち、上述のように、防護管１０１からの干渉により揺動アーム８ｆが前方へ傾動した場合であっても、ボールベアリング２ｂの作用により、防護管１０１のガイドプレート２に沿った面内における全方向への摺動摩擦が低減されるので、揺動アーム８ｆの元の位置への復元がスムースに行われる。
【００５３】
尚、上記の実施の形態では、補助ローラーユニット８が送りローラー６に対して、防護管１０１の前進側及び後退側に設けられた構成を例として示したが、少なくとも何れか一方に設けられていれば、同様の効果を得ることができる。
【符号の説明】
【００５４】
１      防護管挿入器
２      ガイドプレート
２ａ      下端縁
２ｂ      ボールベアリング
２ｃ      ベアリング列
４      ガイドロッド
６      送りローラー
８      補助ローラーユニット（補助ローラー部）
８ａ      補助ローラー
８ｂ      補助ローラーフレーム
８ｃ      取付フレーム
８ｄ      コイルばね
８ｅ      揺動軸
８ｆ      揺動アーム
１０      上側掴線部
１２      下側掴線部
１４      本体フレーム
２０      一点鎖線（電線の配置）
２１      一点鎖線（防護管の配置）
２２、２３、２４、２５      矢印
１００      電線
１０１      防護管
１０２      本体部
１０３      雌型嵌合部
１０４      雄型嵌合部
１０６      収容部
１０７      開口部
１０９      背ビレ部
１１０      管挿入器
１１１      押えアングル
１１２      ガイド本体
１１３      案内棒
１１５      拡管用板
１１６      駆動タイヤ
１２７      コロ
Ｄ１、Ｄ２      間隔
【図１】
2016046947.tif 000003
【図２】
2016046947.tif 000004
【図３】
2016046947.tif 000005
【図４】
2016046947.tif 000006
【図５】
2016046947.tif 000007
【図６】
2016046947.tif 000008
【図７】
2016046947.tif 000009